(57)【要約】【課題】外部端子接続箇所での破断の発生を低減し、半導体装置の二次実装の信頼性を向上する。【解決手段】本発明の半導体装置は、配線基板２と、配線基板２の一面に接着部材１０を介して搭載された半導体チップ３と、配線基板２の他面に形成され、半導体チップ３と電気的に接続された外部電極５とを有し、接着部材１０の周端部１０ａが外部電極５と重ならない位置に配置されていることを特徴とする。【選択図】図１
2012104790.tif 000002
【特許請求の範囲】
【請求項１】
配線基板と、
前記配線基板の一面に接着部材を介して搭載された半導体チップと、
前記配線基板の他面に形成され、前記半導体チップと電気的に接続された外部電極とを有し、
前記接着部材の周端部は前記外部電極と重ならない位置に配置されていることを特徴とする半導体装置。
【請求項２】
請求項１に記載の半導体装置であって、
前記接着部材の周端部が、前記半導体チップの周端部より外方に張り出すように配置されている半導体装置。
【請求項３】
請求項１または２に記載の半導体装置であって、
前記外部電極は導電性のボールであり、かつ前記配線基板の他面に格子状に配設されている半導体装置。
【請求項４】
請求項３に記載の半導体装置であって、
前記格子状に配設された導電性ボールの一群が占める領域のコーナ部に対応する、前記接着部材の周端部の部位が、前記配線基板の外周端部の近傍の位置に配されており、該コーナ部に対応する部位以外の前記接着部材の周端部が前記領域の内側に位置し、前記導電性ボールの間の位置に配置されている半導体装置。
【請求項５】
請求項１乃至４のいずれか１項に記載の半導体装置であって、
前記半導体チップの、電極パッドを含む回路が形成された一面とは反対側の他面が前記配線基板の一面に接着されている半導体装置。
【請求項６】
請求項１乃至４のいずれか１項に記載の半導体装置であって、
前記配線基板は前記配線基板の両面を貫通する開口部を有し、
電極パッドを含む回路が形成された前記半導体チップの一面における該電極パッドが前記開口部から露出するように、該一面が前記配線基板の一面に接着されている半導体装置。
【発明の詳細な説明】
【技術分野】
【０００１】
本発明は、配線基板の一面に半導体チップが搭載され、その配線基板の他面に複数の外部端子が格子状に配置された半導体装置に関する。
【背景技術】
【０００２】
特許文献１及び特許文献２には、配線基板の一面に半導体チップを接着部材を介して搭載し、その配線基板の他面に、前記半導体チップと電気的に接続された半田ボールを配設した半導体装置が開示されている。この半導体装置はＢＧＡ（Ball Grid Array）型半導体装置と呼ばれている。
【先行技術文献】
【特許文献】
【０００３】
【特許文献１】特開2001-044324号公報
【特許文献２】特開2001-044229号公報
【発明の概要】
【発明が解決しようとする課題】
【０００４】
上記した従来技術では、半導体チップのサイズと同等のサイズの接着部材を介して、配線基板に半導体チップが搭載されており、接着部材の端部が、配線基板の他面に配置される半田ボールと重なる場合がある。この場合、その半田ボールに２種類の歪みが加わることで、半導体装置の配線基板と半田ボールとの接続箇所（以下、半田ボール接続箇所と呼ぶ。）が破断し、半導体装置をプリント基板へ実装するとき（以下、二次実装と呼ぶ。）の信頼性が低下する問題がある。
【０００５】
上記した、半田ボールに加わる２種類の歪みは、半導体装置の温度変化による膨張収縮により半田ボールに加わるせん断力と、接着部材の塗布領域と接着部材のない領域での弾性率の差により境界領域で発生する反りに起因する。
【課題を解決するための手段】
【０００６】
本発明の一つの態様では、半導体装置は、配線基板と、該配線基板の一面に接着部材を介して搭載された半導体チップと、該配線基板の他面に形成され、該半導体チップと電気的に接続された外部電極とを有しており、上記の接着部材の周端部が外部電極と重ならない位置に配置されていることを特徴とする。
【０００７】
上記のように構成したことにより、接着部材の塗布領域と接着部材のない領域での弾性率の差により境界領域で発生する反りを、半田ボールのような外部端子と重なる領域で発生させないことが可能となる。これにより、二次実装の際に外部端子にかかる歪みを分散させることで、外部端子接続箇所での破断の発生を低減し、半導体装置の二次実装の信頼性を向上することができる。
【０００８】
また、接着部材の周端部が、半導体チップの周端部より外方に張り出すように配置されることで、半導体チップの周端部と接着部材の周端部が異なる位置に配置されるので、半導体チップの歪みと接着部材の歪みが一点に集中することなく、分散される。結果、外部端子にかかる歪みをさらに低減することができる。
【発明の効果】
【０００９】
したがって本発明によれば、外部端子接続箇所での破断の発生を低減し、半導体装置の二次実装の信頼性を向上することができる。
【図面の簡単な説明】
【００１０】
【図１】第１の実施例の半導体装置の概略構成を示す平面図。
【図２】第１の実施例の半導体装置の概略構成を示す断面図。
【図３】第１の実施例の半導体装置の組立フローを示す断面図。
【図４】第１の実施例の半導体装置の組立フローを示す断面図。
【図５】第２の実施例の半導体装置の概略構成を示す平面図。
【図６】第２の実施例の半導体装置の概略構成を示す断面図。
【図７】第２の実施例の半導体装置の組立フローを示す断面図。
【図８】第２の実施例の半導体装置の組立フローを示す断面図。
【図９】第３の実施例の半導体装置の概略構成を示す平面図。
【図１０】第３の実施例の半導体装置の概略構成を示す断面図。
【図１１】第４の実施例の半導体装置の概略構成を示す平面図。
【図１２】第４の実施例の半導体装置のコーナ部に対応する断面図（ａ）とそのコーナ部以外の断面図（ｂ）。
【図１３】その他の実施例の半導体装置の概略構成を示す断面図。
【発明を実施するための形態】
【００１１】
以下、図面を参照して本発明の実施例を説明する。
【００１２】
［第１の実施例］
図１は第１の実施例の半導体装置の概略構成を示す平面図で、図２はその断面図である。
【００１３】
図１及び図２に示される本実施例の半導体装置１Ａは、一面に所定の配線パターン（不図示）が形成された配線基板２と、この配線基板２の一面に搭載された半導体チップ３と、半導体チップ３の周囲を覆って半導体チップ３と配線基板２との電気接続部を封止する封止体４と、配線基板２の他面に配設された外部端子である半田ボール５等の金属ボールとを有する。尚、図１では封止体４を部分的に取り去って構造を分かりやすく示してある。
【００１４】
配線基板２は、基板面内にマトリックス状に区画された複数の製品形成部を有する略矩形のガラスエポキシ配線基板（以下、配線母基板と呼ぶ。）を製品形成部毎に分割して個片化したものである。配線基板２の絶縁基材６の一面と他面には所定の配線パターン（不図示）が形成されており、それらの配線は部分的に絶縁膜（例えばソルダーレジスト）７で覆われている。
【００１５】
配線基板２の一面に形成されている配線のうち、ソルダーレジストなどの絶縁膜７に覆われていない部分には、複数の接続パッド８が形成されている。また、配線基板２の他面に形成されている配線のうち、ソルダーレジストなどの絶縁膜７に覆われていない部分には、複数のランド９が形成されている。そして、接続パッド８とこれに対応するランド９とは、配線基板２の内部に形成された配線を介して電気的に接続されている。
【００１６】
半導体チップ３は、配線基板２の一面側の絶縁膜７上に接着部材１０を介して搭載されている。接着部材１０には、半導体チップ３の、電極パッド１１を含む回路が形成されている一面（おもて面）とは反対側の面（裏面）が接着されている。電極パッド１１とこれに対応する接続パッド８とは、導電性ワイヤ１２によって電気的に接続されている。
【００１７】
接着部材１０としては、例えば絶縁ペースト或いはDAF（Die Attached Film）等が用いられる。接着部材１０は、その周端部１０ａが配線基板２の他面側の半田ボール５と重ならない位置、例えば格子状に配置された半田ボール５同士の間の位置に配置されるように設けられている。また接着部材１０は、半導体チップ３の裏面サイズよりも大きいサイズで形成されており、接着部材１０の周端部１０ａが半導体チップ３の周端部３ａから張り出すように配置されている。
【００１８】
このように本願は、接着部材１０の周端部１０ａが半田ボール５と重ならない位置、例えば半田ボール５間の位置に配置されている半導体装置１Ａを提供する。この構成により、接着部材１０が塗布された領域と接着部材１０の無い領域での弾性率の差により境界領域で発生する反りを、半田ボールと重なる領域では発生させないことが可能となる。また同時に、半導体装置１Ａの温度変化による膨張収縮で半田ボール５に加わるせん断力も抑制される。したがって、二次実装の際に半田ボール５にかかる歪みを分散させることができ、半田ボール接続箇所での破断発生を低減し、半導体装置１Ａの二次実装の信頼性を向上できる。
【００１９】
また本願は、接着部材１０の周端部１０ａが半導体チップ３の周端部３ａより側方に張り出すように配置されている半導体装置１Ａを提供している。このような構成では、半導体チップ３の周端部３ａと接着部材１０の周端部１０ａが異なる位置に配置されることで、半導体チップ３の周端部３ａでの歪みと接着部材１０の周端部１０ａでの歪みが一点に集中することなく、分散される為、二次実装の際に半田ボール５にかかる歪みをさらに低減することができる。
【００２０】
次に、半導体装置１Ａの製造工程について説明する。
【００２１】
図３及び図４は、第１の実施例の半導体装置の組立フローを示す断面図である。
【００２２】
まず、図３（ａ）に示すような配線母基板２−１が準備される。配線母基板２−１は、基板面内にマトリックス状に区画された複数の製品形成部１３（切断後に配線基板２となる部分）を有している。それぞれの製品形成部１３間の境界には、製品形成部１３毎に分割する際のダイシングライン１４が設けられている。
【００２３】
続いて、チップ接着部材１０の配設工程が実施される。具体的には、配線母基板２−１の一面上に、図３（ｂ）に示すように印刷用マスク１５がセットされる。印刷用マスク１５は、それぞれの製品形成部１３に対応した複数の開口穴１５ａを有している。それぞれの開口穴１５ａは、その開口縁部が半田ボール搭載用のランド９の間の領域に配置されるように形成されている。尚、ランド９は配線母基板２−１の他面側に矩形の製品形成部１３毎に格子状に配置されている。
【００２４】
そして、図３（ｃ）に示すように、印刷用マスク１５上に塗布された接着部材１０（例えば絶縁ペースト）をスキージ１６で開口穴１５ａ内に供給する。その後、印刷用マスク１５を除去することで、図３（ｄ）に示すように、それぞれの製品形成部１３の一面に、所定の厚さの接着部材１０の層を形成し、かつ、接着部材１０の周端部１０ａをランド９の間に対応する位置に配置することができる。尚、接着部材１０としては、絶縁ペーストに替えてDAF（Die Attached Film）を使用してもよい。
【００２５】
次に、ダイボンディング工程が実施される。具体的には、図３（ｅ）に示すように、配線母基板２−１のそれぞれの製品形成部１３の一面に半導体チップ３が搭載される。接着部材１０の層は、基板上を半導体チップ３が占めるサイズより大きいサイズで形成されている。これにより、接着部材１０の周端部１０ａは半導体チップ３のそれぞれの辺から張り出すように配置されている。尚、接着部材１０がDAFである場合、このように半導体チップ３が占めるサイズより大きく、かつ、基板上に貼り付けたときに周端部１０ａがランド９の間に対応する位置に配置できるDAFが使用される。
【００２６】
半導体チップ３は、その一面に論理回路、或いは記憶回路等が形成されたＳｉ基板を有し、該Ｓｉ基板の周辺近傍位置には複数の電極パッド１１が形成されている。また、電極パッド１１を除く半導体チップ３の一面には、回路形成面を保護するパッシベーション膜（不図示）が形成されている。第１の実施例においては、半導体チップ３の裏面側（回路形成面に対向する面）が接着部材１０の層を介して配線母基板２−１の一面に接着固定される。
【００２７】
全ての製品形成部１３に半導体チップ３を搭載し終えたらワイヤボンディング工程に移行する。図４（ａ）に示すように、ワイヤボンディング工程では、半導体チップ３の一面に形成されている電極パッド１１と、それに対応する配線母基板２−１上の接続パッド８とが導電性のワイヤ１２を介して接続される。かかるワイヤ１２は例えばＡｕ或いはＣｕ等からなる。また、ワイヤボンディングには、図示しないワイヤボンディング装置が用いられる。具体的には、溶融され、ボールが形成されたワイヤ１２の一端を、半導体チップ３の電極パッド１１に超音波熱圧着した後、ワイヤ１２の他端を配線母基板２−１上の対応する接続パッド８に超音波熱圧着する。尚、ワイヤ１２は、半導体チップ３の端側の角との干渉を避けるために所定のループ形状を描くように形成される。
【００２８】
続いて、配線母基板２−１は封止工程に移される。封止工程では、図４（ｂ）に示すように、半導体チップ３が搭載された面側の複数の製品形成領域１３を一括的に覆う封止体４が形成される。具体的には、上型と下型からなる成形金型（不図示）を有するトランスファモールド装置などの成型装置を用いて封止工程が実行される。上型には複数の製品形成部１３を一括して覆う大きさのキャビティが形成されている。下型には配線母基板２−１を配置するための凹部が形成されている。ワイヤボンディング工程が完了した配線母基板２−１は、下型の凹部にセットされる。そして上型と下型で配線母基板２−１の周縁部をクランプすることで、配線母基板２−１の上方に、上記の大きさのキャビティが形成される。その後、熱硬化性の封止樹脂（例えばエポキシ樹脂）をキャビティの中へ充填し、所定の温度（例えば１８０℃）でキュアすることで、封止樹脂が硬化して封止体４が形成される。
【００２９】
次に、配線母基板２−１はボールマウント工程に移される。具体的には図４（ｃ）に示すように、配線母基板２−１の他面の製品形成部１３毎に格子状に配置された複数のランド９の上に、導電性の半田ボール５が接合される。ボールマウント工程では、配線母基板２−１上のランド９の配置に合わせて複数の吸着孔が形成された不図示のボールマウンターが用いられる。具体的には、半田ボール５が前記吸着孔に保持され、フラックスを介して、複数のランド９に一括的に接合される。
【００３０】
その後、配線母基板２−１はダイシング工程に移される。具体的には、図４（ｄ）に示すように、配線母基板２−１の封止体４側にダイシングテープ１７が接着される。そして、ダイシング装置のダイシングブレード１８により配線母基板２−１を縦横にダイシングライン１４に沿って切断することで、各製品形成部１３の間が分離される。その後、ダイシングテープ１７から各製品形成部１３をピックアップすることで、図１及び図２に示すような半導体装置１Ａが得られる。
【００３１】
［第２の実施例］
次に、第２の実施例について説明するが、第１の実施例と同じ構成要素については同じ符号を用いることにする。図５は第２の実施例の半導体装置の概略構成を示す平面図、図６はその断面図である。
【００３２】
図５及び図６に示される本実施例の半導体装置１Ｂは、中央に開口部２ａが形成された配線基板２と、この配線基板２の一面に搭載された半導体チップ３と、半導体チップ３の周囲を覆うと共に開口部２ａにおける、半導体チップ３と配線基板２の電気接続部を封止する封止体４と、配線基板２の他面に配設された外部端子である半田ボール５の金属ボールとを有する。尚、図５では封止体４を部分的に取り去って構造を分かりやすく示してある。
【００３３】
配線基板２は、基板面内にマトリックス状に区画された複数の製品形成部を有する略矩形のガラスエポキシ配線基板（以下、配線母基板と呼ぶ。）を製品形成部毎に分割して個片化したものである。前記各製品形成部が相当する配線基板２の中央領域には、配線基板２の両面を貫通する細長い矩形の開口部２ａが形成されている。また、配線基板２の絶縁基材６の他面には、開口部２ａを除いて所定の配線パターン（不図示）が形成されている。それらの配線は部分的に絶縁膜（例えばソルダーレジスト）７で覆われている。
【００３４】
配線基板２の他面に形成されている配線のうち、ソルダーレジストなどの絶縁膜７に覆われていない部分には、複数の接続パッド８及びランド９が形成されている。そして、絶縁膜７に覆われている部分の配線は、接続パッド８とこれに対応するランド９とを電気的に接続する配線を含んでいる。
【００３５】
半導体チップ３は、配線基板２の一面上に接着部材１０を介して搭載されている。接着部材１０には、半導体チップ３の、電極パッド１１を含む回路が形成されている一面（おもて面）が接着されている。複数の電極パッド１１は半導体チップ３の中央領域に列状に配置され、配線基板２の開口部２ａから露出している。また、複数の接続パッド８は、配線基板２の他面における開口部２ａの２つの長辺の縁部に沿って配置されている。電極パッド１１とこれに対応する接続パッド８とは、導電性ワイヤ１２によって電気的に接続されている。これにより、半導体チップ３の電極パッド１１とこれに対応するランド９とが電気的に接続される。
【００３６】
配線基板２は、細長い矩形の開口部２ａにより分断された２つの領域、すなわち矩形の開口部２ａの２つの長辺からその各長辺に対向する配線基板２の各端辺までの２つの領域を有する。そして、それぞれの領域の配線基板２の他面側（半導体チップ３と反対側の面）に複数のランド９が格子状に配置されている。それぞれのランド９には半田ボール５が接合されている。
【００３７】
配線基板２の一面側の接着部材１０としては、例えば絶縁ペースト或いはDAF（Die Attached Film）等が用いられる。本実施例の接着部材１０は、開口部２ａにより分断されるそれぞれの領域に配置されている。それぞれの接着部材１０は、矩形の開口部２ａの１つの長辺からその長辺に対向する配線基板２の端辺に向かって拡がっている。そして、それぞれの接着部材１０は、開口部２ａ側とは反対側の周端部１０ａが配線基板２の他面側の半田ボール５と重ならない位置、例えば格子状に配置された半田ボール５同士の間の位置に配置されるように設けられている。また接着部材１０は、半導体チップ３の裏面サイズよりも大きいサイズで形成されている。これにより、接着部材１０の周端部１０ａが半導体チップ３の周端部３ａから張り出すように配置されている。
【００３８】
このような位置に接着部材１０の周端部１０ａを配置する効果は、第１の実施例で述べた効果と同じである。さらに本実施例は、半導体チップ３の回路形成面側を配線基板２の一面に接着するフェースダウン方式を採用したことで、配線基板２の一面側の封止体４の厚さを薄くできるため、半導体装置の薄型化を図ることができる。また、配線基板２の他面側に接続パッド８とランド９を形成することで、配線層が１層のみである配線基板を用いることができる。
【００３９】
次に、半導体装置１Ｂの製造工程について説明する。
【００４０】
図７及び図８は、第２の実施例の半導体装置の組立フローを示す断面図である。
【００４１】
まず、図７（ａ）に示すような配線母基板２−２が準備される。配線母基板２−２は、基板面内にマトリックス状に区画された複数の製品形成部１３（切断後に配線基板２となる部分）を有している。それぞれの製品形成部１３間の境界には、製品形成部１３毎に分割する際のダイシングライン１４が設けられている。さらに、各製品形成部１３の中央には細長い矩形の開口部２ａが形成されている。
【００４２】
続いて、チップ接着部材１０の配設工程が実施される。具体的には、配線母基板２−２の一面上に、図７（ｂ）に示すように印刷用マスク１５がセットされる。印刷用マスク１５は、それぞれの製品形成部１３に対応した複数の開口穴１５ａを有しており、それぞれの開口穴１５ａは、その開口縁部が半田ボール搭載用のランド９の間の領域に配置されるように形成されている。尚、ランド９は、配線母基板２−２の他面側であって製品形成部１３毎の開口部２ａの両側の領域に格子状に配置されている。
【００４３】
そして、図７（ｃ）に示すように、印刷用マスク１５上に塗布された接着部材１０（例えば絶縁ペースト）をスキージ１６で開口穴１５ａ内に供給する。その後、印刷用マスク１５を除去することで、図７（ｄ）に示すように、それぞれの製品形成部１３の一面に、所定の厚さの接着部材１０の層を形成し、かつ、接着部材１０の、開口部２ａ側とは反対側の周端部１０ａをランド９の間に対応する位置に配置することができる。尚、接着部材１０としては、絶縁ペーストに替えてDAF（Die Attached Film）を使用してもよい。
【００４４】
次に、ダイボンディング工程が実施される。具体的には、図７（ｅ）に示すように、配線母基板２−２のそれぞれの製品形成部１３の一面に半導体チップ３が搭載される。接着部材１０の層は、基板上を半導体チップ３が占めるサイズより大きいサイズで形成されている。これにより、接着部材１０の、開口部２ａ側とは反対側の周端部１０ａは半導体チップ３のそれぞれの辺から張り出すように配置されている。尚、接着部材１０がDAFである場合、このように半導体チップ３が占めるサイズより大きく、かつ、基板上に貼り付けたときに周端部１０ａがランド９の間に対応する位置に配置できるDAFが使用される。
【００４５】
第２の実施例においては、半導体チップ３の回路形成面（電極パッド１１が形成された面）を下向きにし、この回路形成面が、接着部材１０の層を介して配線母基板２−２の一面に接着固定される。このとき、配線母基板２−２各製品形成部１３の開口部２ａから電極パッド１１が露出するように半導体チップ３が固定される。
【００４６】
全ての製品形成部１３に半導体チップ３を搭載し終えたらワイヤボンディング工程に移行する。図８（ａ）に示すように、ワイヤボンディング工程では、半導体チップ３の一面に形成されている電極パッド１１と、それに対応する配線母基板２−２上の開口部２ａの周辺近傍位置の接続パッド８とが導電性のワイヤ１２を介して接続される。かかるワイヤ１２は例えばＡｕ或いはＣｕ等からなる。また、ワイヤボンディングには、図示しないワイヤボンディング装置が用いられる。ワイヤ１２は、開口部２ａの周縁の角との干渉を避けるために所定のループ形状を描くように形成される。
【００４７】
続いて、配線母基板２−２は封止工程に移される。封止工程では、図８（ｂ）に示すように、半導体チップ３が搭載された面側の複数の製品形成領域１３を一括的に覆う封止体４が形成される。この封止工程は、第１の実施形態と同様に、上型と下型からなる成形金型（不図示）を有するトランスファモールド装置などの成型装置を用いて実行される。下型には配線母基板２−２をセットするための凹部が形成されている。本実施例ではその凹部の基板支持面に、各製品形成部１３の開口部２ａへ熱硬化性の封止樹脂（例えばエポキシ樹脂）を注入可能な溝が形成されている。
【００４８】
次に、配線母基板２−２はボールマウント工程に移される。具体的には図８（ｃ）に示すように、配線母基板２−２の他面の製品形成部１３毎に格子状に配置された複数のランド９の上に、導電性の半田ボール５が接合される。ボールマウント工程では、配線母基板２−２上のランド９の配置に合わせて複数の吸着孔が形成された不図示のボールマウンターが用いられ、半田ボール５が複数のランド４に一括的に接合される。
【００４９】
その後、配線母基板２−２はダイシング工程に移される。具体的には、図８（ｄ）に示すように、配線母基板２−２の封止体４側にダイシングテープ１７が接着される。そして、ダイシング装置のダイシングブレード１８により配線母基板２−２を縦横にダイシングライン１４に沿って切断することで、各製品形成部１３の間が分離される。その後、ダイシングテープ１７から各製品形成部１３をピックアップすることで、図５及び図６に示すような半導体装置１Ｂが得られる。
【００５０】
［第３の実施例］
次に、第３の実施例について説明するが、第１の実施例と同じ構成要素については同じ符号を用いることにする。図９は第３の実施例の半導体装置の概略構成を示す平面図、図１０はその断面図である。
【００５１】
図９及び図１０に示される本実施例の半導体装置１Ｃは、第２の実施例の半導体装置１Ｂとほぼ同様に構成されているが、接着部材１０が配線基板２の一面側の略全面に形成されている点で異なる。具体的には、接着部材１０の周端部１０ａが開口部２ａの縁から配線基板２の外周端部２ｂ近傍まで拡がっている。これにより、接着部材１０の周端部１０ａが、格子状に配置された複数の半田ボール５からなる外部端子群の外側に配置されている。このように第３実施例では、接着部材１０の周端部１０ａを半田ボール５と重ならない位置に配置することで、第１及び第２の実施例と同様の効果が得られる。すなわち、二次実装の際に半田ボール５にかかる歪みを低減することができる。
【００５２】
また第３の実施例では、接着部材１０を配線基板２の一面の略全面に形成することで、接着部材１０の周端部１０ａを半導体チップ３の周端部３ａから第２の実施例よりも遠くに離間することができる。結果、半導体チップ３の周端部３ａにおける歪みと接着部材１０の周端部１０ａにおける歪みの干渉を第２の実施例よりも低減できる。
【００５３】
尚、接着部材１０の周端部１０ａと配線基板２の外周端部２ｂが一致するように接着部材１０を構成しても良い。しかし本実施例のように、接着部材１０の周端部１０ａを配線基板２の周端部２ａから僅かに内側に配置することで、半導体装置１Ｃの外側から接着部材１０を通じて湿気が吸収されるのを抑制することができる。
【００５４】
本実施例の半導体装置１Ｃの製造工程は第２の実施例の半導体装置１Ｂの製造工程と同じであるので、その説明は割愛する。
【００５５】
［第４の実施例］
次に、第４の実施例について説明するが、第１の実施例と同じ構成要素については同じ符号を用いることにする。図１１は第４の実施例の半導体装置の概略構成を示す平面図である。図１２の（ａ）は図１１の半導体装置のコーナ部に対応する断面図、（ｂ）はそのコーナ部以外の断面図である。
【００５６】
図１１及び図１２に示される本実施例の半導体装置１Ｄは、第２の実施例の半導体装置１Ｂとほぼ同様に構成されているが、格子状に配置された半田ボール群が占める矩形状領域の４コーナに対応する、接着部材１０の周端部１０ａの部位が、配線基板２の外周端部２ｂの近傍に配されている点で異なる。
【００５７】
第４実施例でも、接着部材１０の周端部１０ａが半導体チップ３の周端部から張り出し、半田ボール５と重ならない位置に配置されており、第１及び第２の実施例と同様の効果が得られる。
【００５８】
特に本実施例では、半田ボール群が占める矩形状領域の４コーナに対応する、接着部材１０の周端部１０ａの部位が、半田ボール群が占める領域の外側へ配線基板２の外周端部２ｂの近傍の位置まで拡げられている。これにより、半田ボール群が占める矩形状領域の４コーナにおける温度サイクル性を向上することができる。さらに、該４コーナに対応する部位以外の、接着部材１０の周端部１０ａは、半田ボール群が占める領域の内側に位置し、半田ボール５の間の位置のような、半田ボール５と重ならない位置に配置されている。このため、配線基板２の外周端部２ｂから接着部材１０を通じて湿気が吸収されるのを抑制することもできる。
【００５９】
本実施例の半導体装置１Ｄの製造工程は第２の実施例の半導体装置１Ｂの製造工程と同じであるので、その説明は割愛する。
【００６０】
以上、本発明者によってなされた発明を実施例に基づき説明したが、本発明は上記実施例に限定されるものではなく、その要旨を逸脱しない範囲で種々変更可能であることは言うまでもない。例えば、上記の実施例では一つの配線基板に一つの半導体チップを搭載した半導体装置について説明したが、本発明はこれに限られない。図１３に示すように配線基板２に最も近い半導体チップ３を配線基板２に接着する接着部材１０の周端部１０ａを半田ボールと重ならない位置に配置した構成であれば、一つの配線基板２に複数の半導体チップ３が積層された半導体装置１Ｆも本願発明に含まれる。
【００６１】
尚、以下に付記する半導体装置もまた本願発明に含まれる。
【００６２】
（付記１）配線基板と、
前記配線基板の一面に接着部材を介して搭載された半導体チップと、前記配線基板の他面に形成され、前記半導体チップと電気的に接続された外部電極とを有し、前記接着部材の周端部は前記外部電極と重ならない位置に配置されていることを特徴とする半導体装置。
【００６３】
（付記２）付記１に記載の半導体装置であって、前記接着部材の周端部が、前記半導体チップの周端部より外方に張り出すように配置されている半導体装置。
【００６４】
（付記３）付記１または２に記載の半導体装置であって、前記外部電極は導電性のボールであり、かつ前記配線基板の他面に格子状に配設されている半導体装置。
【００６５】
（付記４）付記３に記載の半導体装置であって、前記格子状に複数配設された導電性ボールの一群が占める領域のコーナに対応する、前記接着部材の周端部の部位が、前記配線基板の外周端部の近傍の位置に配されており、該コーナに対応する部位以外の、前記接着部材の周端部が前記領域の内側に位置し、前記導電性ボールの間の位置に配置されている半導体装置。
【００６６】
（付記５）付記１乃至４のいずれか１項に記載の半導体装置であって、前記半導体チップの、電極パッドを含む回路が形成された一面とは反対側の他面が前記配線基板の一面に接着されている半導体装置。
【００６７】
（付記６）付記１乃至４のいずれか１項に記載の半導体装置であって、前記配線基板は前記配線基板の両面を貫通する開口部を有し、電極パッドを含む回路が形成された前記半導体チップの一面における該電極パッドが前記開口部から露出するように、該一面が前記配線基板の一面に接着されている半導体装置。
【００６８】
（付記７）付記５に記載の半導体装置であって、前記配線基板の一面上の前記半導体チップの外方に形成され、前記半導体チップの前記電極パッドと電気的に接続される接続パッドを有し、前記接続パッドと前記外部電極が、前記配線基板の内部に形成された配線を介して導通されている半導体装置。
【００６９】
（付記８）付記６に記載の半導体装置であって、前記配線基板の他面における前記開口部の周縁近傍位置に形成され、前記開口部内に露出する前記半導体チップの前記電極パッドと電気的に接続される接続パッドを有し、前記接続パッドと前記外部電極が、前記配線基板の他面上に形成された配線を介して導通されている半導体装置。
【００７０】
（付記９）付記１乃至８のいずれか１項に記載の半導体装置であって、複数の前記半導体チップが前記配線基板の一面に対して垂直な方向に積層されている半導体装置。
【００７１】
（付記１０）付記１乃至８のいずれか１項に記載の半導体装置であって、前記接着部材が導電性ペーストからなる半導体装置。
【００７２】
（付記１１）付記１乃至１０のいずれか１項に記載の半導体装置であって、前記配線基板の一面上に形成された、前記半導体チップの周囲を封止する封止体をさらに有する半導体装置。
【００７３】
（付記１２）付記１乃至１１のいずれか１項に記載の半導体装置であって、前記電極パッドと前記接続パッドが導電性ワイヤを介して電気的に接続されている半導体装置。
【符号の説明】
【００７４】
１Ａ，１Ｂ，１Ｃ，１Ｄ，１Ｆ    半導体装置
２    配線基板
２ａ    開口部
２ｂ    配線基板の外周端部
３    半導体チップ
３ａ    半導体チップの周端部
４    封止体
５    半田ボール
６    絶縁基材
７    絶縁膜
８    接続パッド
９    ランド
１０    接着部材
１０ａ    接着部材の周端部
１１    電極パッド
１２    導電性ワイヤ
１３    製品形成部
１４    ダイシングライン
１５    印刷用マスク
１５ａ    開口部
１６    スキージ
１７    ダイシングテープ
１８    ダイシングブレード
【図１】
2012104790.tif 000003
【図２】
2012104790.tif 000004
【図３】
2012104790.tif 000005
【図４】
2012104790.tif 000006
【図５】
2012104790.tif 000007
【図６】
2012104790.tif 000008
【図７】
2012104790.tif 000009
【図８】
2012104790.tif 000010
【図９】
2012104790.tif 000011
【図１０】
2012104790.tif 000012
【図１１】
2012104790.tif 000013
【図１２】
2012104790.tif 000014
【図１３】
2012104790.tif 000015